【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録方法であって、
前記画素を構成する複数のエリアそれぞれの記録ドットの有無を決定するためのドット配置パターンを、前記各画素の濃度値に応じて割り当てる工程と、
前記割り当て工程によって得られた前記ドット配置パターンに基づくドットの記録を、マスクパターンを用いて前記記録ヘッドの複数回の走査に振り分け、該複数回の走査それぞれに対応した吐出データを作成する工程と、
前記吐出データ作成工程において作成された吐出データに従い、前記記録ヘッドからインクを吐出する吐出工程と
を有し、所定の濃度値を有する画素内の所定のエリアに対して、実際に記録されるドットの数が前記割り当て工程で決定された記録ドットの数よりも多くなるように、前記マスクパターンおよび前記ドット配置パターンが関連付けられて構成されていることを特徴とするインクジェット記録方法。
【請求項２】
前記所定の濃度値が高い値であるほど、前記画素内に実際に記録されるドットの数が前記割り当て工程で決定された記録ドットの数よりも多くなるように、前記マスクパターンおよび前記ドット配置パターンが関連付けられて構成されていることを特徴とする請求項１に記載のインクジェット記録方法。
【請求項３】
数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録方法であって、
前記画素を構成する複数のエリアそれぞれの記録ドットの有無を決定するドット配置パターンを前記濃度値に従って前記画素に割り当てることにより、前記多値の濃度値を２値の濃度値に変換する変換工程と、
前記変換工程によって得られた前記ドット配置パターンに基づくドットの記録を、マスクパターンを用いて前記記録ヘッドの複数回の走査に振り分け、該複数回の走査それぞれに対応した吐出データを作成する工程と、
前記吐出データ作成工程において作成された吐出データに従い、前記記録ヘッドからインクを吐出する吐出工程と
を有し、前記多値の濃度値のうち第１の濃度値を有する画素については、前記変換工程で決定された記録ドットの数よりも実際に記録されるドットの数が多くなるように、且つ前記第１の濃度値よりも低い第２の濃度値を有する画素については、前記変換工程で決定された記録ドットの数と実際に記録されるドットの数が同等になるように、前記マスクパターンおよび前記ドット配置パターンが関連付けられて構成されていることを特徴とするインクジェット記録方法。
【請求項４】
数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、
前記画素を構成する複数のエリアそれぞれの記録ドットの有無を決定するドット配置パターンを前記濃度値に従って前記画素に割り当てることにより、前記多値の濃度値を２値の濃度値に変換する変換手段と、
前記変換手段によって得られた前記ドット配置パターンに基づくドットの記録を、マスクパターンを用いて前記記録ヘッドの複数回の走査に振り分け、該複数回の走査それぞれに対応した吐出データを作成する手段と、
前記吐出データ作成手段において作成された吐出データに従い、前記記録ヘッドからインクを吐出する吐出手段と
を具備し、前記多値の濃度値のうち第１の濃度値を有する画素については、前記変換手段で決定された記録ドットの数よりも実際に記録されるドットの数が多くなるように、且つ前記第１の濃度値よりも低い第２の濃度値を有する画素については、前記変換工程で決定された記録ドットの数と実際に記録されるドットの数が同等になるように、前記マスクパターンおよび前記ドット配置パターンの関係が構成されていることを特徴とするインクジェット記録システム。
【請求項５】
数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、
前記画素を構成する複数のエリアそれぞれの記録ドットの有無を決定するためのドット配置パターンを、前記各画素の濃度値に応じて割り当てる手段と、
前記割り当て手段によって得られた前記ドット配置パターンに基づくドットの記録を、マスクパターンを用いて前記記録ヘッドの複数回の走査に振り分け、該複数回の走査それぞれに対応した吐出データを作成する手段と、
前記吐出データ作成手段において作成された吐出データに従い、前記記録ヘッドからインクを吐出する吐出手段と
を具備し、所定の濃度値を有する画素内の所定のエリアに対して、実際に記録されるドットの数が前記割り当て工程で決定された記録ドットの数よりも多くなるように、前記マスクパターンおよび前記ドット配置パターンが関連付けて構成されていることを特徴とするインクジェット記録システム。
【請求項６】
数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、
前記画素を構成する複数のエリアそれぞれの記録ドットの有無を決定するドット配置パターンを前記濃度値に従って前記画素に割り当てることにより、前記多値の濃度値を２値の濃度値に変換する変換手段と、
前記変換手段によって得られた前記ドット配置パターンに基づくドットの記録を、マスクパターンを用いて前記記録ヘッドの複数回の走査に振り分け、該複数回の走査それぞれに対応した吐出データを作成する手段と、
前記吐出データ作成手段において作成された吐出データに従い、前記記録ヘッドからインクを吐出する吐出手段と
を具備し、前記吐出データ作成手段においては、所定の前記エリアにおける２値データに対し、前記複数の記録走査によって複数のドットが記録されるような前記マスクパターンを適用すると同時に、前記変換手段においては、前記画素に記録されるドットの総数が前記多値の濃度値に対して一義的となるように前記マスクパターンに関連付けられた前記ドット配置パターンが適用されていることを特徴とする記録システム。
【請求項７】
前記画素が有する多値の濃度値が最低レベルを含む低レベルである場合には、前記変換手段で決定された記録ドットの数と実際に記録されるドットの数が同等になるように、前記マスクパターンおよび前記ドット配置パターンが関連付けられて構成されていることを特徴とする請求項６に記載の記録システム。
【請求項８】
前記画素が有する多値の濃度値が最低レベルを含む低レベルである場合には、前記変換手段で記録ドット数が１に決定されたエリアに対し実際に１つのドットが記録されるように前記マスクパターンおよび前記ドット配置パターンが関連付けられて構成されていることを特徴とする請求項６に記載の記録システム。
【請求項９】
前記画素が有する多値の濃度値が最高レベルを含む高レベルである場合には、前記変換手段で記録ドット数が１に決定されたエリアに対し実際に２以上の数のドットが記録されるように前記マスクパターンおよび前記ドット配置パターンが関連付けられて構成されていることを特徴とする請求項６に記載の記録システム。
【請求項１０】
数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、
前記画素を構成する複数のエリアそれぞれの記録ドットの有無を決定する第１のドット配置パターンを前記濃度値に従って前記画素に割り当てることにより、前記多値の濃度値を２値の濃度値に変換する第１の変換手段と、
前記画素を構成する複数のエリアそれぞれの記録ドットの有無を決定する第２のドット配置パターンを前記濃度値に従って前記画素に割り当てることにより、前記多値の濃度値を２値の濃度値に変換する第２の変換手段と、
前記第１の変換手段によって得られた前記第１のドット配置パターンに基づくドットの記録を、第１のマスクパターンを用いて前記記録ヘッドの複数回の走査に振り分け、該複数回の走査それぞれに対応した吐出データを作成する第１の吐出データ作成手段と、
前記第２の変換手段によって得られた前記第２のドット配置パターンに基づくドットの記録を、第２のマスクパターンを用いて前記記録ヘッドの複数回の走査に振り分け、該複数回の走査それぞれに対応した吐出データを作成する第２の吐出データ作成手段と、
前記第１の吐出データ作成手段または第２の吐出データ作成手段において作成された吐出データに従い、前記記録ヘッドからインクを吐出する吐出手段と、
を具備し、前記第１の変換手段で決定された記録ドットの数と実際に記録されるドットの数が同等になるように前記第１のマスクパターンおよび前記第１のドット配置パターンが関連付けられて構成されており、且つ前記第２の変換手段で決定された記録ドットの数よりも多いドットが記録されるように前記第２のマスクパターンおよび前記第２のドット配置パターンが関連付けられて構成されていることを特徴とする請求項６乃至９のいずれかに記載のインクジェット記録システム。
【請求項１１】
前記第１の変換手段および第１の吐出データ作成手段を適用することによって画像データの変換を行う第１の記録モードと、前記第２の変換手段および第２の吐出データ作成手段を適用することによって画像データの変換を行う第２の記録モードと、前記第１の記録モードと第２の記録モードの一方を選択可能な記録モード選択手段とを具備することを特徴とする請求項１０に記載のインクジェット記録システム。
【請求項１２】
数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録装置であって、
前記画素を構成する複数のエリアそれぞれの記録ドットの有無を決定するために、前記濃度値に従って前記画素に割り当てることにより、前記多値の濃度値を２値の濃度値に変換するドット配置パターンを格納する格納部と、
前記ドット配置パターンに基づくドットの記録を、前記記録ヘッドの複数回の走査に振り分け、該複数回の走査それぞれに対応した吐出データを作成するためのマスクパターンを格納する格納部と
を具備し、前記多値の濃度値のうち第１の濃度値を有する画素については、前記割当てられたドット配置パターンで決定された記録ドットの数よりも実際に記録されるドットが多くなるように、且つ前記第１の濃度値よりも低い第２の濃度値を有する画素については、前記割当てられたドット配置パターンで決定された記録ドットの数と実際に記録されるドットの数が同等になるように、前記マスクパターンおよび前記ドット配置パターンの関係が構成されていることを特徴とするインクジェット記録装置。
【請求項１３】
請求項１または３に記載のインクジェット記録方法を実現することを特徴とする制御プログラム。
【手続補正２】
【補正対象書類名】明細書
【補正対象項目名】００１０
【補正方法】変更
【補正の内容】
【００１０】
そのために本発明では、数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録方法であって、前記画素を構成する複数のエリアそれぞれの記録ドットの有無を決定するためのドット配置パターンを、前記各画素の濃度値に応じて割り当てる工程と、前記割り当て工程によって得られた前記ドット配置パターンに基づくドットの記録を、マスクパターンを用いて前記記録ヘッドの複数回の走査に振り分け、該複数回の走査それぞれに対応した吐出データを作成する工程と、前記吐出データ作成工程において作成された吐出データに従い、前記記録ヘッドからインクを吐出する吐出工程とを有し、所定の濃度値を有する画素内の所定のエリアに対して、実際に記録されるドットの数が前記割り当て工程で決定された記録ドットの数よりも多くなるように、前記マスクパターンおよび前記ドット配置パターンが関連付けられて構成されていることを特徴とする。
【手続補正３】
【補正対象書類名】明細書
【補正対象項目名】００１１
【補正方法】変更
【補正の内容】
【００１１】
また本発明は、数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録方法であって、前記画素を構成する複数のエリアそれぞれの記録ドットの有無を決定するドット配置パターンを前記濃度値に従って前記画素に割り当てることにより、前記多値の濃度値を２値の濃度値に変換する変換工程と、前記変換工程によって得られた前記ドット配置パターンに基づくドットの記録を、マスクパターンを用いて前記記録ヘッドの複数回の走査に振り分け、該複数回の走査それぞれに対応した吐出データを作成する工程と、前記吐出データ作成工程において作成された吐出データに従い、前記記録ヘッドからインクを吐出する吐出工程とを有し、前記多値の濃度値のうち第１の濃度値を有する画素については、前記変換工程で決定された記録ドットの数よりも実際に記録されるドットの数が多くなるように、且つ前記第１の濃度値よりも低い第２の濃度値を有する画素については、前記変換工程で決定された記録ドットの数と実際に記録されるドットの数が同等になるように、前記マスクパターンおよび前記ドット配置パターンが関連付けられて構成されていることを特徴とする。
【手続補正４】
【補正対象書類名】明細書
【補正対象項目名】００１２
【補正方法】変更
【補正の内容】
【００１２】
更に本発明は、数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、前記画素を構成する複数のエリアそれぞれの記録ドットの有無を決定するドット配置パターンを前記濃度値に従って前記画素に割り当てることにより、前記多値の濃度値を２値の濃度値に変換する変換手段と、前記変換手段によって得られた前記ドット配置パターンに基づくドットの記録を、マスクパターンを用いて前記記録ヘッドの複数回の走査に振り分け、該複数回の走査それぞれに対応した吐出データを作成する手段と、前記吐出データ作成手段において作成された吐出データに従い、前記記録ヘッドからインクを吐出する吐出手段とを具備し、前記多値の濃度値のうち第１の濃度値を有する画素については、前記変換手段で決定された記録ドットの数よりも実際に記録されるドットの数が多くなるように、且つ前記第１の濃度値よりも低い第２の濃度値を有する画素については、前記変換工程で決定された記録ドットの数と実際に記録されるドットの数が同等になるように、前記マスクパターンおよび前記ドット配置パターンの関係が構成されていることを特徴とする。
【手続補正５】
【補正対象書類名】明細書
【補正対象項目名】００１３
【補正方法】変更
【補正の内容】
【００１３】
また本発明は、数段階で表現される濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録システムであって、前記画素を構成する複数のエリアそれぞれの記録ドットの有無を決定するためのドット配置パターンを、前記各画素の濃度値に応じて割り当てる手段と、前記割り当て手段によって得られた前記ドット配置パターンに基づくドットの記録を、マスクパターンを用いて前記記録ヘッドの複数回の走査に振り分け、該複数回の走査それぞれに対応した吐出データを作成する手段と、前記吐出データ作成手段において作成された吐出データに従い、前記記録ヘッドからインクを吐出する吐出手段とを具備し、所定の濃度値を有する画素内の所定のエリアに対して、実際に記録されるドットの数が前記割り当て工程で決定された記録ドットの数よりも多くなるように、前記マスクパターンおよび前記ドット配置パターンが関連付けて構成されていることを特徴とする。
【手続補正６】
【補正対象書類名】明細書
【補正対象項目名】００１６
【補正方法】変更
【補正の内容】
【００１６】
更に本発明は、数段階で表現される多値の濃度値を有する画素に対し、該画素を構成する複数のエリアへのドットの記録・非記録の組み合わせによって前記濃度値を表現しつつ、前記画素が複数配列して構成される画像情報に従って、記録媒体に前記ドットを形成するためのインクを吐出する記録ヘッドを前記記録媒体に対して複数回走査させながら画像を形成するインクジェット記録装置であって、前記画素を構成する複数のエリアそれぞれの記録ドットの有無を決定するために、前記濃度値に従って前記画素に割り当てることにより、前記多値の濃度値を２値の濃度値に変換するドット配置パターンを格納する格納部と、前記ドット配置パターンに基づくドットの記録を、前記記録ヘッドの複数回の走査に振り分け、該複数回の走査それぞれに対応した吐出データを作成するためのマスクパターンを格納する格納部とを具備し、前記多値の濃度値のうち第１の濃度値を有する画素については、前記割当てられたドット配置パターンで決定された記録ドットの数よりも実際に記録されるドットが多くなるように、且つ前記第１の濃度値よりも低い第２の濃度値を有する画素については、前記割当てられたドット配置パターンで決定された記録ドットの数と実際に記録されるドットの数が同等になるように、前記マスクパターンおよび前記ドット配置パターンの関係が構成されていることを特徴とする。